(57)【要約】【課題】  維持管理作業の効率化を図るため、浄化槽の槽内から容易に引き上げることができる浸漬型膜分離装置に使用する浸漬型膜モジュールを提供する。【解決手段】  膜モジュール１１を浄化槽２１から取り外す際に、膜モジュール１１の上方の導通口１１１に大気開放された第１パイプ１１３が接続されていることにより、液面が浄化槽２１における被処理液の液面より高い膜モジュール１１内のろ過液には水頭圧が加わるため、膜モジュール１１の下方の導通口１１２に接続された第２パイプ１１４から短時間でろ過液が排出される。【選択図】          図１
2007160234.tif 000002
【特許請求の範囲】
【請求項１】
重力ろ過によるろ過処理を行う浸漬型膜分離装置に使用する浸漬型膜モジュールであって、
膜モジュールの上方および下方にろ過処理後のろ過液が貯留される貯留槽への導通口を少なくともそれぞれ１つずつ有し、上方の導通口は大気開放された第１パイプに接続される一方、下方の導通口はろ過液を排出する第２パイプに接続されることを特徴とする浸漬型膜モジュール。
【請求項２】
前記第１パイプおよび第２パイプが導通可能に接続されていることを特徴とする請求項１記載の浸漬型膜モジュール。
【請求項３】
前記第１パイプに大気の開放または密閉を切り替える切替機構を有することを特徴とする請求項１または２記載の浸漬型膜モジュール。
【請求項４】
前記膜モジュールは、上下端が集束固定された多数の管状膜を具備することを特徴とする請求項１〜３のいずれかに記載の浸漬型膜モジュール。
【発明の詳細な説明】
【技術分野】
【０００１】
本発明は、生活排水を浄化するための浸漬型膜分離装置に使用する浸漬型膜モジュール、特に維持管理作業の効率化を図るため、浄化槽の槽内から容易に引き上げることができる浸漬型膜分離装置に使用する浸漬型膜モジュールに関する。
【背景技術】
【０００２】
環境汚染防止のため生活排水を総合的に浄化させ、放流することは社会的にも重要であり、小型合併浄化槽への膜分離法を適用することもひとつの手段として開発に注力されている。小型膜分離合併浄化槽においては、安定した膜ろ過性能が発揮されている場合、処理水のＢＯＤ（生物化学的酸素要求量）が５ｍｇ／Ｌ以下の非常に良好な水質が得られるという、他の型式にはない優位性がある。しかし、何かのトラブルが生じると機能の回復に手間がかかり良好な機能が維持されている時と、そうでない時のギャップが大きいとの指摘もあり、長期間にわたり安定した機能を発揮するためには膜のろ過性能の確保はもとより、活性汚泥濃度の調整、膜の薬品洗浄の実施や散気装置などの付属機器類についても、より厳密に維持管理を行う必要がある。維持管理の留意事項については、（財）日本環境整備教育センター、「膜分離型小型合併浄化槽維持管理ガイドライン」に示されるように、徐々に設置基数の増加も見られるが、他の型式にはない膜分離法特有の維持管理項目も多いことから、そのポイントを十分に把握しトラブルを未然に防止できるような運転管理が最も重要とされる。
【０００３】
これらの方法が実用的であるためには、受容され得るコストパフォーマンスだけでなく、コンパクトであること、維持管理が容易であることなどが必要条件であり、被処理液中に膜エレメントを浸漬し、空気の浮力を利用したクロスフローろ過法が効率的な省エネ型の膜ろ過装置として既に多くの分野で利用されている。特に、維持管理性においては、膜分離装置全体を浸漬槽から引き上げる作業や浸漬された膜モジュールのみを引き上げる作業などが維持管理状況に応じて必要とされる。
【０００４】
浸漬型膜分離装置に用いられる膜分離モジュールとしては、複数の平板型膜エレメントを所定の間隔（５〜１０ｍｍ）で平行に配列したプレート型膜モジュール、外径と内径が数ミリメートル程度の中空糸膜を多数集合させて両端を集束固定した中空糸膜モジュールなどが一般的に知られている。なお、ここで言う膜エレメントとは、ろ過体の最小単位をいい、膜エレメントを複数化させることで大型化された膜モジュールを形成するものである。
【０００５】
これらの従来検討されてきた膜モジュールでは、小型膜分離合併浄化槽のような膜ろ過装置としては必ずしもコンパクトおよび経済的とは言えず、また維持管理性においても、もともと装置全体が重いため、引き上げるためには特別な道具や複数の作業員を必要としたり、円形のマンホール口よりの装置の出し入れを行ったりする必要があり、維持管理性は必ずしも満足できるものではなかった。
【０００６】
また、複数の平板型膜エレメントを所定の間隔（５〜１０ｍｍ）で平行に配列し、前もってその両端部を集束固定させた一体型のプレート型モジュール（例えば、特許文献１参照）や内面に被処理液のろ過機能を有する管状膜の複数本からなる管状膜群を収納容器に収納した管状膜モジュール（例えば、特許文献２参照）において、膜モジュールを一体化することにより単位膜面積当たりの膜モジュールコストを削減させると同時にコンパクト化することも考えられている。しかし、これらの一体型の膜モジュールでも、例えば、円筒形の容器に収納された管状膜モジュールの場合、Ｎπd2／４Ｓで示される収納容器への管状膜の充填率（Ｎは管状膜の収納容器への収納本数、ｄは管状膜の外径、Ｓは収納容器の軸方向に垂直な断面の断面積）が少なくとも７０％と仮定した場合に、残りの３０％は、ほぼろ過処理後のろ過液が占める割合となり浸漬された膜モジュールを引き上げるためには、膜モジュール自身の重量と膜モジュールのろ過液側に封入された３０％のろ過液の容積重量とを同時に引き上げることになる。また浸漬された膜モジュールを無理やりに被処理液中から大気中に引き上げ、水頭差による圧力でろ過液貯留槽側から被処理液側へと逆洗のような形で逆ろ過させた場合には、精密ろ過膜で形成された管状膜と言えども非常に時間を必要とし、またそれが閉塞した膜モジュールであるならば完全にろ過液が抜けきるまでに数時間を要する。さらに急激に引き上げた場合には膜自身や集束固定部などに必要のない大きな圧力をかけることになり、膜モジュールの破損原因に繋がるとともに、何よりも重労働な作業となる問題があった。
【０００７】
これに対し、膜モジュール下部にろ過液側につながるドレンバルブなどを取り付けることにより、膜モジュール内のろ過液を簡単に抜き出すことは可能であるが、膜モジュールを槽内より引き上げてからバルブを開けるのでは軽量化の意味はなく、また浸漬中にバルブを開ければ膜モジュールのろ過液側に汚泥を進入させ、膜モジュール全体を汚染させることになったり、運転再開時におけるバルブの閉め忘れなどのトラブル原因にも繋がるため、問題解決には至らなかった。
【特許文献１】特開平９−２９９９５１号公報
【特許文献２】国際公開第０２／０１３９５４号パンフレット
【発明の開示】
【発明が解決しようとする課題】
【０００８】
本発明は、かかる従来技術の問題点を解決するべくなされたもので、維持管理作業の効率化を図るため、浄化槽の槽内から容易に引き上げることができる浸漬型膜分離装置に使用する浸漬型膜モジュールを提供することを目的とする。
【課題を解決するための手段】
【０００９】
本発明に係る浸漬型膜モジュールは、重力ろ過によるろ過処理を行う浸漬型膜分離装置に使用する膜モジュールであって、膜モジュールの上方および下方にろ過処理後のろ過液が貯留される貯留槽への導通口を少なくともそれぞれ１つずつ有し、上方の導通口は大気開放された第１パイプに接続される一方、下方の導通口はろ過液を排出する第２パイプに接続されることを特徴とするものである。
【００１０】
上記構成の浸漬型膜モジュールによれば、膜モジュールのろ過処理後のろ過液が貯留される貯留槽への導通口が膜モジュールの上方および下方に少なくとも１つずつ設けられている。上方の導通口には、第１パイプが接続され、大気開放される。また、下方の導通口には、第２パイプが接続され、膜モジュールによりろ過されたろ過液を排出する。
【００１１】
ここで、膜モジュールを浄化槽から取り外す際に、膜モジュールの上方の導通口に大気開放された第１パイプが接続されていることにより、液面が浄化槽における被処理液の液面より高い膜モジュール内のろ過液には水頭圧が加わるため、膜モジュールの下方の導通口に接続された第２パイプから短時間でろ過液が排出される。
【００１２】
したがって、浸漬型膜分離装置の維持管理作業のために、膜モジュールを引き上げる際、短時間で膜モジュールの重量を軽くすることができるため、膜モジュールを槽内から容易に引き上げることができ、浸漬型膜分離装置の維持管理作業の効率化を図ることができる。
【００１３】
また、膜モジュールに複数の導通口を設けることにより、浄化槽内に浸漬された状態でのインライン薬洗法における薬液の注入の際、薬液を膜モジュール全体に均一に行き渡らせることもできる。
【００１４】
好ましくは、前記第１パイプおよび第２パイプが導通可能に接続されているように構成される。
【００１５】
この場合、膜モジュールを浄化槽から取り外す際に、ろ過液を排出する第２パイプに大気開放された第１パイプが接続されていることにより、液面が浄化槽における被処理液の液面より高い第２パイプ内のろ過液にも直接的に水頭圧が加わる。したがって、膜モジュールの下方の導通口に接続された第２パイプからより短時間でろ過液を排出させることができる。
【００１６】
好ましくは、前記第１パイプに大気の開放または密閉を切り替える切替機構を有するように構成される。
【００１７】
この場合、切替機構により第１パイプを密閉させるとともに、第２パイプの先に吸引ポンプを取り付け、吸引することにより、負圧をかけてろ過を促進させる吸引ろ過方式にも対応可能となる。したがって、様々な態様の浸漬型膜分離装置においても維持管理作業の効率化を図ることができる。
【００１８】
好ましくは、前記膜モジュールは、上下端が集束固定された多数の管状膜を具備するように構成される。
【００１９】
この場合、膜モジュールが多数の管状膜よりなるため、管状膜自身がエアリフトポンプ作用を有することとなり、被処理液の液面がかなり低下した位置にあってもろ過処理が可能となる。したがって、膜モジュールの小型化による浸漬型膜分離装置の小型化を達成することができるとともに、浄化槽の可変容量を大きくすることが可能となるため、浄化槽自身もより小型化することができる。
【発明の効果】
【００２０】
本発明に係る浸漬型膜モジュールによれば、膜モジュールを浄化槽から取り外す際に、膜モジュールの上方の導通口に大気開放された第１パイプが接続されていることにより、液面が浄化槽における被処理液の液面より高い膜モジュール内のろ過液には水頭圧が加わるため、膜モジュールの下方の導通口に接続された第２パイプから短時間でろ過液が排出される。したがって、浸漬型膜分離装置の維持管理作業のために、膜モジュールを引き上げる際、短時間で膜モジュールの重量を軽くすることができるため、膜モジュールを槽内から容易に引き上げることができ、浸漬型膜分離装置の維持管理作業の効率化を図ることができる。
【発明を実施するための最良の形態】
【００２１】
以下、添付図面を参照しつつ、本発明を実施するための最良の形態について説明する。図１は本発明の一実施形態に係る浸漬型膜モジュールを備えた浸漬型膜分離装置を浄化槽に配置したところを側方から見た部分断面図である。
【００２２】
本発明に係る浸漬型膜モジュール１１は、重力ろ過によるろ過処理により被処理液をろ過する浸漬型膜分離装置１に使用する浸漬型膜モジュール１１であって、膜モジュール１１の上方および下方にろ過処理後のろ過液が貯留される貯留槽１１０への導通口１１１，１１２を少なくともそれぞれ１つずつ有し、上方の導通口１１１は大気開放された第１パイプ１１３に接続される一方、下方の導通口１１２はろ過液を排出する第２パイプ１１４に接続されることを特徴とするものである。
【００２３】
さらに、本実施形態においては、連絡パイプ１１５により、第１パイプ１１３および第２パイプ１１４が導通可能に接続されているように構成される。
【００２４】
はじめに、浄化槽２１における浸漬型膜分離装置１の機能について説明する。合併処理機能を有する浄化槽２１は、大別して２から３の槽より構成される。例えば、３槽の場合は、固液分離槽、脱窒槽および硝化槽から構成され、２槽の場合は、固液分離槽および硝化槽から構成される。本実施形態の浄化槽２１においては、図１に示されるように、槽２２と槽２３とが仕切り板２４で仕切られており、槽２２が固液分離槽または脱窒槽に該当し、槽２３が硝化槽に該当するが、本発明はこれに限定されるものではない。浸漬型膜分離装置１は、硝化槽２３に設置され、前段の槽２２から移送パイプ２５を経て送り込まれる被処理液である生活排水（汚水）を硝化槽２３の活性汚泥を用いてろ過処理する。なお、生活排水の移送量が急激に増加したり、ろ過性能が低下したりして硝化槽２３の水位が上限ＨＷＬを超えると警報（図示せず）が作動するべく構成される。
【００２５】
浸漬型膜分離装置１は、膜モジュール１１の下方に気泡供給装置１２が設置されており、気泡供給装置１２の散気装置１０から膜モジュール１１全体に略均一に気泡が送り込まれる。膜モジュール１１に下方から送り込まれた気泡は、活性汚泥を含む被処理液を随伴しながら膜モジュール１１内を上昇し、その上端から放出される。これにより、曝気中、被処理液は、硝化槽２３内において膜モジュール１１内外を循環し、この間、膜モジュール１１においてろ過処理が行われる。
【００２６】
膜モジュール１１においてろ過処理が行われた後のろ過液は、膜モジュール１１の貯留槽１１０に貯留され、導通口１１１，１１２を通じて排出される。導通口１１１には、大気開放された第１パイプ１１３が接続される一方、導通口１１２には、ろ過液を排出するポンプ２７に通じる第２パイプ１１４が接続されるとともに、第１パイプ１１３および第２パイプ１１４のそれぞれに第１パイプ１１３と第２パイプ１１４とを導通可能に連絡する連絡パイプ１１５が接続され、第２パイプ１１４が第１パイプ１１３と導通可能に接続される。これにより、導通口１１１または１１２の位置をろ過圧（水頭圧）の基準として活性汚泥を含む被処理液は重力ろ過される。ろ過処理されたろ過液が第２パイプ１１４を通じてポンプ２７でくみ上げられ、消毒槽２８に送られる。消毒槽２８に送られたろ過液は、消毒されて排出口２９から排出される。なお、第１パイプ１１３は、必要に応じて、大気開放口から薬液を注入することにより、膜モジュール１１の洗浄作業に利用することも可能である。
【００２７】
本実施形態においては、膜モジュール１１の着脱作業時における障害物を少なくするために、ポンプ２７を浄化槽２１に固定している。このため、第２パイプ１１４が浄化槽２１から膜モジュール１１を取り出す際に不都合が生じない長さにするとともに、第２パイプ１１４全体を少なくとも上方の導通口１１１の高さより高くしないように設置する必要がある。第２パイプ１１４の一部がろ導通口１１１より高い位置にあると、被処理液面が低下したときに、第２パイプ１１４の一部に空気溜りができてろ過液がポンプ２７に送れない場合があるからである。
【００２８】
本実施形態のポンプ２７には、エアリフトポンプが用いられる。ポンプ効率を上げるためには、ろ過液の入口はできるだけ、下方にあることが好ましい。第２パイプ１１４からポンプ２７に入ったろ過液は、エアポンプ（図示せず）から送り出された空気が空気導入口２６からポンプ２７内に噴出した気泡に随伴して上昇し、消毒槽２８に送られる。なお、ポンプ２７を膜モジュール１１に固定することとしてもよい。
【００２９】
本実施形態の膜モジュール１１としては、内面にろ過機能を有した集束管状膜１１６を円筒状の収納容器１１７に収納した管状膜モジュールを用いている。集束管状膜１１６と収納容器１１７との間隙がろ過液の貯留槽１１０となる。
【００３０】
より具体的には、本実施形態の収納容器１１７には、外径が３１８ｍｍ、長さが５８０ｍｍの円筒形のＰＶＣ管を用いている。その収納容器１１７には、６２５本の管状膜が集束され、収納容器１１７の上下端で熱硬化性樹脂５によって集束固定された多数の管状膜である集束管状膜１１６が介装されている。集束管状膜１１６の有効膜面積は、１１．０ｍ2である。
【００３１】
１本の管状膜の構成としては、例えば、特開昭４８−４５８３２号公報に記載されたような、ポリエステルやポリプロピレンなどの不織布と一体に形成された有機高分子膜を管状に加工したものが好ましい。その加工方法としては、例えば、特公昭５６−３５４８３号公報に記載されたような、ポリエステル製の不織布と有機高分子膜が一体になったテープ状の複合膜を、内径（例えば１１ｍｍ）を規定する心棒に螺旋状に巻き付けながらその長手方向の周辺部を互いに重ね合わせ、重なり部分を接着剤による接着あるいは超音波溶着することによって連続的に製造することが好ましい。例えば、株式会社ユアサコーポレーション製の管状膜であって、内径１１ｍｍ、膜厚約０．１５ｍｍで平均孔径０．４μｍの微孔が多数形成されており、ＪＩＳ  Ｋ  ３８０２の定義から精密ろ過膜と呼ばれているものを使用する。この加工方法によれば、内面に被処理液のろ過機能を有した管状膜も外周面に被処理液のろ過機能を有した管状膜も連続的に製造することができるとともに、その内径の設定も心棒の太さを変えることによって任意に製作することができるので経済的にも有利である。
【００３２】
また、このような管状膜は、少なくとも内面とこの内面に対応する外周面との重なり部分に、わずかな突起が部分的に形成されるので、ろ過時にその突起によって被処理液の流れを乱流化することができて膜面に付着した夾雑物などのろ別成分も剥離させやすい。また、管状膜は、中空糸膜と平板型膜の双方の利点を兼ね備えている。すなわち、中空糸膜に比べると内径が大きいので夾雑物を容易に除去することができ、平板型膜に比べるとモジュールの有効膜面積を大きくできるのでコンパクトな設計が可能である。
【００３３】
また、膜モジュール１１が多数の管状膜よりなるため、管状膜自身がエアリフトポンプ作用を有することとなり、被処理液の液面がかなり低下した位置にあってもろ過処理が可能となる。したがって、膜モジュール１１の小型化による浸漬型膜分離装置１の小型化を達成することができるとともに、浄化槽２１の可変容量を大きくすることも可能となるため、浄化槽２１自身もより小型化することができる。
【００３４】
ここで、膜モジュール１１を浄化槽２１から取り外す際について説明する。膜モジュール１１を浄化槽２１から取り外すために膜モジュール１１を引き上げた際、膜モジュール１１の上方の導通口１１１に大気開放された第１パイプ１１３が接続されていることにより、液面が浄化槽２１における被処理液の液面より高い膜モジュール１１内のろ過液には水頭圧が加わるため、膜モジュール１１の下方の導通口１１２に接続された第２パイプ１１４から短時間でろ過液が排出される。また、本実施形態においては、ろ過液を排出する第２パイプ１１４に大気開放された第１パイプ１１３が連絡パイプ１１５を介して接続されていることにより、液面が浄化槽２１における被処理液の液面より高い第２パイプ１１４内のろ過液にも直接的に水頭圧が加わる。したがって、膜モジュール１１の下方の導通口１１２に接続された第２パイプ１１４からより短時間でろ過液を排出させることができる。
【００３５】
ここで本実施形態における浸漬型膜モジュール１１の効果について従来型構造と比較しつつより詳しく説明する。図２は図１の浸漬型膜分離装置において膜モジュールを引き上げた時の概略状態図である。また、図５は従来の浸漬型膜モジュールを使用する浸漬型膜分離装置において膜モジュールを引き上げた時の概略状態図である。なお、図５に示すように、従来型の膜モジュール１１’には、円筒状の収納容器１１７’の側面上方に１個所のみ導通口１１１’が設けられており、第１パイプ１１３’および第２パイプ１１４’が接続されている。その他の構成については本実施形態と同様であり、図１または２と同じ符号を付し、説明は省略する。
【００３６】
膜モジュールを槽内より引き上げた場合、従来型膜モジュール１１’の引き上げ時には、図５に示すように、第２パイプ１１４’へは流れず、ろ過液の貯留槽１１０’に封入されたろ過液がそのまま残存する。水頭差による圧力で透過液側から被処理液側へと逆洗のような形で逆ろ過され、ろ過液は徐々に抜けていくであろう（図５の破線矢印参照）が、短時間で貯留されたろ過液を抜くことはできず、大半を抜くためには数時間を要する。また、それが長期間運転され、膜面の閉塞した膜モジュール１１’であるならば、さらに時間を必要とすることは言うまでもない。
【００３７】
一方、本発明における膜モジュール１１の引き上げ時にも同様に膜モジュール１１の貯留槽１１０に封入されたろ過液が残存するが、図２に示すように、膜モジュール１１を引き上げることにより、上方の導通口１１１を介して大気開放された第１パイプ１１３より空気を膜モジュール１１（の貯留槽１１０）内に取り入れ、水頭差による圧力を用いて貯留槽１１０に封入されたろ過液を下方の導通口１１２より速やかに（約数１０秒で）排出することができる（図２の矢印参照）。これは一度ろ過膜を透過させたろ過液を再度、被処理液側（１次側）に逆ろ過させる操作とは異なり、ろ過液側（２次側）へと送り出す操作であり、ろ過液の無駄も生じないため、より効率的でもある。
【００３８】
以上のように、浸漬型膜分離装置１の維持管理作業のために、膜モジュール１１を引き上げる際、短時間で膜モジュール１１の重量を軽くすることができるため、膜モジュール１１を槽内から容易に引き上げることができ、浸漬型膜分離装置１の維持管理作業の効率化を図ることができる。
【００３９】
また、膜モジュール１１に複数の導通口１１１，１１２を設けることにより、浄化槽内に浸漬された状態でのインライン薬洗法における薬液の注入の際、薬液を膜モジュール１１全体に均一に行き渡らせることもできる。
【００４０】
なお、本実施形態における導通口１１１，１１２は、収納容器１１７の側面の上方および下方にそれぞれ１つずつ設けられるが、上方または下方の導通口はそれぞれ複数設けられてもよい。
【００４１】
以下、本発明のその他の実施形態について例示して説明する。図３は本発明の他の実施形態に係る浸漬型膜モジュールの特徴部分を中心とする側方部分断面図である。
【００４２】
図３（ａ）においては、図１の形態と異なり、導通口１１１および１１２を膜モジュール１１の筐体外で導通させることなく、第１パイプ１１３を導通口１１１に、また、第２パイプ１１４を導通口１１２に、それぞれ独立に接続している。また、図３（ｂ）においては、第２パイプ１１４とは独立して、膜モジュール１１の上方から第１パイプ１１３を接続し、膜モジュール１１の内部で膜モジュール１１のろ過液側に連通された構成となっている。特に、図３（ｂ）の場合は、膜モジュール１１の貯留槽１１０の最上部に第１パイプ１１３を連通することができるため、上記のインライン薬洗法における薬液注入の際、貯留槽１１０の最上部に空気溜りができることがなく、薬液が貯留槽１１０内全体に行き渡らせることができる（空気溜りによる槽面への薬液の非接触を防止することができる）。
【００４３】
また、図３（ｃ）においては、図１の構成に加えて、第１パイプ１１３に大気の開放または密閉を切り替える切替機構であるエアバルブ１１８を有するように構成される。この場合、エアバルブ１１８により第１パイプ１１３を密閉させるとともに、第２パイプ１１４の先に吸引ポンプを取り付け、吸引することにより、負圧をかけてろ過を促進させる吸引ろ過方式にも対応可能となる。したがって、様々な態様の浸漬型膜分離装置においても維持管理作業の効率化を図ることができる。
【００４４】
なお、以上のような本発明の構成は一例であってこれに限定されるものではなく、本発明の趣旨を逸脱しない範囲で変更可能であり、これと同様の効果を奏する多数の態様を得ることができる。
【実施例１】
【００４５】
ここで、図１の本発明に係る膜モジュール１１と図５の従来型の膜モジュール１１’とにおいて、膜モジュール引き上げ時の重量の比較を行った。膜モジュール１１，１１’の一基当たりの単独乾燥重量は、ともに約４．５ｋｇのものを使用した。この場合、膜が湿潤状態で引き上げの為の取手や付属品を加算して、ともに約７．６ｋｇであった。これは、透過液側のろ過液を完全に抜き出すことで、この重量が極端な構造変更や材質変更をしなくても形成できる膜モジュール１１，１１’の重量として最軽量の部類と言える。なお、収納容器１１７内の集束管状膜１１６の充填率は８０％、すなわち、残りの略２０％がろ過液側の貯留槽１００，１１０’の容積となっている。
【００４６】
上記膜モジュール１１，１１’を用いて、いずれも十分に貯留槽１１０，１１０’にろ過液が貯留した状態から引き上げを開始して、引き上げ時間とそれに伴う重量とを測定した。
【００４７】
この結果を下記の表に示す。また、図４は膜モジュール引き上げ後の膜モジュール重量の経時変化を比較した図である。
【表１】
2007160234.tif 000003
【００４８】
図５の従来型膜モジュール１１’の引き上げ時には、膜モジュール１１’の重量７．６ｋｇに、収納容器１１７の体積の略２０％を占める貯留槽１１０’に貯留されたろ過液の重量が加えられ、約９．４ｋｇの重量増となり、膜モジュール１１’全体の重量（引き上げ時重量）は約１７．０ｋｇとなった。しかも貯留槽１１０’に貯留されたろ過液は封入されたままほとんど抜け出ないため、図４に示すように、作業を行う間中その重量はほとんど変化しないという結果となった。
【００４９】
一方、図１の本発明に係る膜モジュール１１の引き上げ時には、貯留槽１１０に貯留されたろ過液が引き上げと同時に導通口１１２を通じて速やかにエアーリフトポンプ２７に送り出され、数１０秒程度で透過液側に貯留されたろ過液の約９０％を消毒槽へと送り出すことができ、引き上げ１分後の膜モジュール１１の重量は約８．８ｋｇとなった。したがって、従来型の膜モジュール１１’に比較してろ過液による重量増を劇的に改善することができた。
【００５０】
以上のように、限られた維持管理作業時間内における浸漬された膜モジュール１１の容易な引き上げを現実化することができ、清掃や点検の効率化および作業性の向上を図ることができる浸漬型膜分離装置の膜モジュールとして非常に満足できる結果となった。
【図面の簡単な説明】
【００５１】
【図１】本発明の一実施形態に係る浸漬型膜モジュールを備えた浸漬型膜分離装置を浄化槽に配置したところを側方から見た部分断面図である。
【図２】図１の浸漬型膜分離装置において膜モジュールを引き上げた時の概略状態図である。
【図３】本発明の他の実施形態に係る浸漬型膜モジュールの特徴部分を中心とする側方部分断面図である。
【図４】膜モジュール引き上げ後の膜モジュール重量の経時変化を比較した図である。
【図５】従来の浸漬型膜モジュールを使用する浸漬型膜分離装置において膜モジュールを引き上げた時の概略状態図である。
【符号の説明】
【００５２】
１  浸漬型膜分離装置
１１  膜モジュール
１１０  貯留槽
１１１  上方の導通口
１１２  下方の導通口
１１３  第１パイプ
１１４  第２パイプ
１１５  連絡パイプ
１１６  集束管状膜（多数の管状膜）
１１８  エアバルブ（切替機構）
２１  浄化槽
【図１】
2007160234.tif 000004
【図２】
2007160234.tif 000005
【図３】
2007160234.tif 000006
【図４】
2007160234.tif 000007
【図５】
2007160234.tif 000008